(57)【要約】【課題】役を有するカードゲームを実行する場合、相手ゲーマーのオープンカード手中、役に該当するカード手に識別表示することで、該当ゲーマーをより容易にゲームの規則に馴染ませることができる、カードゲームサービスの提供方法及びそのシステムを提供する。【解決手段】インターネットを介して仮想的に生成されたカードゲーム部屋に入場し、ゲームを開始する段階と、設定に基づいてゲームに参加した各ゲーマーに配分された多数のカード手のうち、少なくとも２枚以上のカードがオープンされる場合に、役に該当するカード手があるかを確認し、ゲーム部屋内で役に該当するカード手を識別する所定イメージをリアルタイムに提供する段階と、ゲーム部屋の規則に基づいてゲームを進行する段階と、を含む。【選択図】図３
2008289888.tif 000002
【特許請求の範囲】
【請求項１】
インターネットを介して仮想的に生成されたカードゲーム部屋に入場し、ゲームを開始する段階と、
設定に応じて前記ゲームに参加した各ゲーマーに配分された多数のカード手のうち、少なくとも２枚以上のカードがオープンされた場合に、役に該当するカード手があるか否かを確認し、前記ゲーム部屋内で役に該当するカード手を識別する所定のイメージをリアルタイムに提供する段階と、
前記ゲーム部屋の規則によってゲームを進行する段階と、
を含むことを特徴とするカードゲームサービスの提供方法。
【請求項２】
前記イメージを提供する段階は、
各ゲーマーに配分された多数のカード手のうち、少なくとも２枚以上のカードがオープンされる段階と、
相手ゲーマーのオープンカード手を分析し、役に該当するカード手があるか否かを判別する段階と、
役に該当するカード手が存在すると判別された場合に、該当のカード手の上段に前記所定のイメージを表示する段階と、
を含むことを特徴とする請求項１に記載のカードゲームサービスの提供方法。
【請求項３】
戦記イメージを提供する段階は、
前記カードゲームがポーカーゲームである場合に、ペア、ストレート、フラッシュなど役の系列に応じて前記イメージの模様及び／または色を互いに異ならせて表示することを特徴とする請求項２に記載のカードゲームサービスの提供方法。
【請求項４】
前記イメージを具現する段階は、
千機カード手が少なくとも２つ以上の役に該当する場合、役の優先順位が高い役に該当するカード手の上段に前記イメージを表示することを特徴とする請求項２記載のカードゲームサービスの提供方法。
【請求項５】
前記カード手を検索する段階は、
自分に配分されたカード手を分析して役に該当するカード手があるかを検索する段階、
をさらに含むことを特徴とする請求項２に記載のカードゲームサービスの提供方法。
【請求項６】
前記カード手を検索する段階は、
前記相手ゲーマーのオープンカード手又は前記自分のカード手に基づいて達成確率の高い役を予測する段階、を更に含むことを特徴とする請求項５に記載のカードゲームサービスの提供方法。
【請求項７】
前記イメージを提供する段階は、
検索された役と予測された役とを比較し、設定に基づいて優先順位の高い役に該当するカード手の上段に前記優先順位の高い役の系列に該当するイメージを提供する段階、を含むことを特徴とする請求項６に記載のカードゲームサービスの提供方法。
【請求項８】
前記イメージを提供する段階は、
前記ゲームの進行中のベット時に遂行されることを特徴とする請求項１に記載のカードゲームサービスの提供方法。
【請求項９】
インターネットを介してカードゲームを実行する使用者端末機と、
前記使用者端末機からの入力に基づいて前記カードゲームを進行し、ゲーム中の各ゲーマーに配分されたカードの中から役に該当するカード手を識別する所定イメージを表示するゲーム提供サーバーと、
を含むことを特徴とするカードゲームサービスの提供システム。
【請求項１０】
前記使用者端末機は、前記ゲーム提供サーバーが表示する前記イメージの表示可否を入力することを特徴とする請求項９に記載のカードゲームサービスの提供システム。
【請求項１１】
前記ゲーム提供サーバーは、前記役を所定種類に分類し、各種類に基づいて前記イメージの模様及び／または色を互いに異ならせて表示することを特徴とする請求項１０に記載のするカードゲームサービスの提供システム。
【発明の詳細な説明】
【技術分野】
【０００１】
本発明は、カードゲームサービスの提供方法及びそのシステムに関するもので、詳しくは、ゲーム中に相手ゲーマーのオープンカード手の中で、役に該当するカード手を識別表示をすることで、直観的に相手ゲーマーのカード手を把握することができるカードゲームサービスの提供方法及びそのシステムに関するものである。
【背景技術】
【０００２】
通信及びネットワーク技術の発達に連れてインターネットを介したチャット、コミュニティ、ゲーム、ショッピングモールなど様々な種類のコンテンツが提供されている。その中ゲームサービス分野は、需要層の拡散によりサービスの開発速度及び普及速度が急激に増加している。また、ゲームサービスを利用する使用者の急増に伴い、無料で提供されるゲームサービスも有料サービスに転換される事例がますます増え、コンテンツ提供業者の大きい収益源となっている。
【０００３】
そのようなゲームサービス中の一つであるカードゲームは、簡単なゲーム方式を有するので数多くの利用者を確保し、多様な利用者の趣向に合わせてゴーストップ、相ゴーストップ、ポーカーゲーム、ハイローポーカー、ブラックジャックなど様々な種類のカードゲームを提供している。
【０００４】
上記各カードゲームは、オフラインで通用されるゲームの規則やカード手の形状をそのまま適用して進行することが一般的であるが、ゲームをより面白くするためにゲームの規則を一部編集して進行することもあって、カードゲームに慣れてない初心者またはオンライン／オフライン上で初めてカードゲームに接する入門者（初心者）の場合は、そのようなカード手又はゲーム規則に十分馴染むことができないという不都合な点があった。
【０００５】
また、ゲームに参加する場合、初心者は、参加するカードゲームの基本規則を熟知している他の利用者に比べて相対的に不利であるため、ゲームに負けたり、仮想金額（ゲームマネー）を失う回数が増えると、これら初心者及び入門者のゲームに対する興味が損なわれてしまうという不都合な点があった。
【発明の開示】
【発明が解決しようとする課題】
【０００６】
本発明は、上述した問題点を解決するためのもので、本発明の目的は、役を有するカードゲームを実行する場合、相手ゲーマーのオープンカード手のうち、役に該当するカード手を識別表示することで、ゲーマーをより容易にゲームの規則に馴染ませることができる、カードゲームサービスの提供方法及びそのシステムを提供することにある。
【課題を解決するための手段】
【０００７】
上述したような目的を達成するため本発明の第１特徴に係るカードゲームサービスの提供方法は、インターネットを介して仮想的に生成されたカードゲーム部屋に入場して、ゲームを開始する段階と、設定に基づいて上記ゲームに参加した各ゲーマーに配分された多数のカード手のうち、少なくとも２枚以上のカードがオープンされる場合に、役に該当するカード手があるか否かを確認し、上記ゲーム部屋上において役に該当するカード手を識別する所定イメージをリアルタイムに提供する段階と、上記ゲーム部屋の規則によってゲームを進行する段階と、を含む。
【０００８】
また、上記イメージを提供する段階は、各ゲーマーに配分された多数のカード手のうち、少なくとも２枚以上のカードがオープンされる段階と、相手ゲーマーのオープンカード手を分析して役に該当するカード手があるかを検索する段階と、役に該当するカード手が存在する場合に、該当のカード手の上段に上記所定イメージを表示する段階と、を含むことができる。
【０００９】
また、上記イメージを具現する段階は、ポーカーゲームである場合、ペア性、ストレート性、フラッシュ性など役の系列に応じて上記イメージの模様及び／または色を相違させて表示することができる。
【００１０】
また、上述したような目的を達成するため、本発明の第２特徴に係るカードゲームサービスの提供システムは、インターネットを介してカードゲームを実行する使用者端末機と、上記使用者端末機からの入力に基づいて上記カードゲームを進行し、ゲーム中に各ゲーマーに配分されたカードのうち、役に該当するカード手を識別する所定イメージを表示するゲーム提供サーバーと、を含むことを特徴とする。
【００１１】
また、上記使用者端末機は、上記ゲーム提供サーバーが表示する上記イメージの表示可否を入力（選択）することができる。
【００１２】
また、上記ゲーム提供サーバーは、上記役を所定種類に分類し、各種類に基づいて上記イメージの模様及び／または色を相違させて表示することができる。
【発明の効果】
【００１３】
上述したように、本発明に係るカードゲームサービスの提供方法及びそのシステムは、カードゲーム中に、相手ゲーマーのオープンカード手を分析して役に該当するカード手を所定のイメージにして識別表示するため、ポーカーゲームに慣れてない入門者又は初心者がカードゲームの規則を一層迅速に把握することができる。
【００１４】
また、相手ゲーマーのカード手により成される役を直観的に容易に認識できるので、ゲームの進行がよりスピーディーに行われ、ゲームに対する興味を向上させることができる。
【発明を実施するための最良の態様】
【００１５】
以下、添付された図面を参照して本発明に係る好ましい実施例を説明する。本明細書では、必要な場合、本発明のカードゲームとしてポーカーゲームを例に挙げて説明するが、それに限定されず、インターネット上でカードゲームを楽しむことが可能で、各カードの形状や数字による優先順位又は差等点数などに対する規則のあるカードゲームサービス全般に適用可能である。
【００１６】
図１は、本発明の好ましい実施例に係るカードゲームサービスの提供システムを簡略に示した概略図である。
【００１７】
図１に示すように、本発明に係るカードゲームサービスの提供システムは、使用者端末機１０、１５及びゲームサーバー５０を含んで構成される。
【００１８】
使用者端末機１０、１５は、備えられたキーボード又はマウス等の操作入力手段を通じた操作に応じて、有線又は無線インターネットに接続し、ゲームサーバーに連結する。そして、該ゲームサーバーから提供されるカードゲームサービスデータを受信するためのブラウザーが設けられている。該使用者端末機１０、１５は、デスクトップコンピュータ、ノートブックコンピュータなどインターネットに接続できる一般的なコンピュータ１５だけでなく、電子手帳（ＰＤＡ： personal digital assistance ）または携帯電話など移動通信網に接続できる携帯用移動通信機器１０をすべて包含する。上記ブラウザーとしては、一般的なコンピュータ１５の場合、インターネットエクスプローラ、ファイアフォックスなどがあり、移動通信機器１０の場合は、ワイヤレス・アプリケーション・プロトコル（ＷＡＰ：Wireless  Application  Protocol）ブラウザー、モバイルエクスプローラ（ＭＥ：Mobile  Explorer）ブラウザー、アイ・モード（Ｉ−mode）などがある。なお、これらに限定されず、他の多様な技術のブラウザーを適用することが可能である。
【００１９】
使用者端末機１０、１５は、オペレーティングシステム（ＯＳ）によって使用者プログラムを実行し、それに伴うデータを処理する制御モジュール（不図示）と、インターネットに接続するための有線又は無線通信モジュール（不図示）と、を含んで構成される。
【００２０】
ゲームサーバー５０は、ゲームサービスを提供するためのウェブページを提供し、使用者端末機１０、１５がブラウザーを介してゲームサーバー５０が提供するサイトにアクセスすると、使用者認証処理を遂行して正当な使用者であるか否かを判別し、正当な使用者であると認証を受けた使用者に対してカードゲームを含む様々なゲームサービスを提供する。特に、本発明の好ましい実施例に係るゲームサーバー５０は、カードゲームの進行時に、相手ゲーマーのカード手を分析して使用者が容易に識別できるように所定イメージを提供して使用者端末機１０、１５の画面上に表示させる。
【００２１】
チャネルサーバー６０は、ゲームサーバー５０が提供する様々なゲームのチャネル（channel）リスト及び各チャネルに属しているゲーム部屋のリストを更新及び管理して使用者端末機１０、１５へ伝送する。チャネルとは、ゲーム毎に開設された仮想的のゲーム空間であるゲーム部屋のリスト及び各ゲーム部屋に位置している利用者のリストにより構成される集合を意味する。例えば、本発明のカードゲームがポーカーゲームである場合、下級、平民、中級、高級、英雄、至尊、超人、神等に分類される使用者のゲーム等級に応じて、初心者、ジュニア、アマチュア、シニア、プロ、マスターズ、グランド、練習、スペシャル、チャンピオンなどの様々なチャネルを構成することができる。
【００２２】
ゲームＤＢ７０は、ゲームサーバー５０が提供する多様なゲームサービスを提供するための使用者又はゲーム関連情報を保存する。ゲームＤＢ７０は、ゲームサーバー５０が提供するゲームサービス提供サイトを介して加入した各使用者のＩＤ、パスワードを含む様々な個人情報を保存し、ゲームを進行するための各ゲームの制御プログラムなども保存される。例えば、ポーカーゲームの場合は、ゲームサービスとして提供されるポーカーゲームの役データ及び規則に応じた進行制御プログラムが保存される。さらには、ゲームサーバー５０の使用者認証のために使用者端末機１０、１５から受信されたＩＤ及びパスワードデータがゲームＤＢ７０に存在するか否かを判断し、各ゲームに関連した各使用者の仮想の保有マネー、等級、戦績、勝率、接続状態、最高点などの情報を保存して、認証された使用者のゲーム関連情報を出力する。更に、ゲーム結果に基づいて生成される多様なゲーム関連情報を更新する。このようなゲームＤＢ７０は、ゲームサーバー５０に含まれて構成することが可能であり、また、個別に構成することも可能である。
【００２３】
また、本発明に係るカードゲームサービスの提供システムは、ポータルサーバー８０を更に含んで構成することができる。ポータルサーバー８０とは、使用者端末機１０、１５でブラウザーを実行した際に、最初にアクセスされる入り口（portal）サイトを提供するサーバーで、検索、チャット、コミュニティ、メッセージの送受信、ショッピングモール、ブログ（blog）など様々なサービスを提供し、ゲームサーバー５０と連動してポータルサイトに加入した使用者がゲームサービスを利用しようとする場合は、簡単な入力によってゲームサーバーに直ちに連結される。
【００２４】
図２は、本発明の好ましい実施例に係るカードゲームサービスの提供システムにおけるゲームサーバー５０の構成を示したブロック図である。
【００２５】
図２に示すように、本発明の好ましい実施例に係るゲームサーバー５０は、サーバー制御モジュール５１、ゲーム進行モジュール５２、役表示モジュール５３、チャットモジュール５４、通信モジュール５５を含んで構成される。また、各モジュールは、独立的なサーバーにより実現することができ、個別のサーバーで各モジュールが分離された形態で構成されてもよい。
【００２６】
サーバー制御モジュール５１は、各ゲームの開始、進行及び終了などゲームの状況を制御し、上記各モジュールの全般的な動作を制御する。且つ、ゲームサーバー５０に接続した使用者に対する認証処理も遂行する。より詳細に説明すると、サーバー制御モジュール５１は、ゲーム進行モジュール５２、役表示モジュール５３、チャットモジュール５４及び通信モジュール５５などとデータを送受信し、接続された使用者のゲームサーバー５０への接続状態確認、ゲームサーバー５０の管理、提供可能な各ゲームから共通的に適用されるチャネル内における規則を制御する等の動作を行う。また、使用者端末機１０、１５がブラウザーを介してゲームサーバー５０に接続すると、使用者端末機１０、１５へゲームサービスを提供するためのウェブページを伝送する。伝送されるウェブページにはゲームサーバー５０を介して提供される多様なゲームが具備され、使用者認証を遂行するための別途のテキストフィールドを出力する。従って、使用者端末機１０、１５を介し使用者のＩＤ、パスワードなどの認証データが伝送されると、受信された認証データが加入した使用者のものであるかを確認して、認証されたページを再び伝送する。
【００２７】
チャットモジュール５４は、使用者が選択したチャネルの控室やゲーム部屋内のゲーマー同士又はゲームサーバー５０上に接続しているゲーマー同士の間でチャットをしたり、メッセージを送受信できるようにする。
【００２８】
通信モジュール５５は、使用者端末機１０、１５から伝送されるゲームと関連した様々なデータを有線又は無線インターネットを介して受信し、サーバー制御モジュール５１から伝送されるゲームの進行状況、役表示、ゲームの結果データなどを使用者端末機１０、１５へ伝送する。
【００２９】
ゲーム進行モジュール５２は、ゲームを進行するための所定の制御プログラムを読み込み、サーバー制御モジュール５１の制御に基づいて通信モジュール５５から伝送されるデータを用いてゲーム画面を生成し、ゲームが終了するとその結果を算出する。
【００３０】
役表示モジュール５３は、使用者が入場したゲーム部屋内でゲームが実行されている際に、相手ゲーマーのオープンカードがどの役に該当するかを検索し、オープンカードが役に該当する場合、カード手を使用者が認知できるように識別情報を表示する。役表示モジュール５３は、相手ゲーマーが自分のカード手を選択してオープンする場合に、オープンされたカード手に対応するカード手データを分析してゲームＤＢ７０に保存されている役データを検索し、分析されたカード手に該当する役が存在する場合は、役に該当するカード手を容易に認知できるように所定のイメージを生成して使用者端末機の表示ディスプレイ上の画面に表示されるゲーム部屋内に出力する。
【００３１】
役表示モジュール５３は、使用者端末機１０、１５の設定入力に応じて所定のイメージを表示するような表示処理を遂行する又は遂行しないことが可能で、デフォルトで相手ゲーマーのオープンカード手を分析して、役に該当するカード手にイメージを表示する。一方、ゲームに参加した相手ゲーマーの現在のゲームの進行状況や配分されたカードの使用可否に関わらず、相手ゲーマーのカードオープンの動向やオープンされたカード手の数字又は模様から以後のゲームの進行において達成可能な役を予測し、予測された役に該当するカード手に上述のイメージを表示することができる。また、少なくとも一つ以上の役が検索された場合（オープンにされたカード手に該当する役データが、ゲームＤＢ７０に存在する場合）は、優先順位の高い役に該当するカード手に対してイメージを表示することが可能で、予想した役を推測した場合は、既に達成された役と予想した役の中の優先順位の高い役に該当するカード手に対し、端末機１０、１５の設定入力に応じて選択的に上記イメージを表示することができる。
【００３２】
そして、端末機１０、１５の設定入力によって相手ゲーマーのカード手だけでなくゲームを遂行している自分が保有したカード手も分析し、役に該当するカード手に対して上記イメージを表示することもできる。更に、カードのオープン後にベット動作が行われる場合は、各ゲーマーのベット時に役表示動作を遂行したり、カードがオープンされる度にリアルタイムでオープンカードを分析して役表示動作を進行することができる。
【００３３】
上記イメージは、ゲーム部屋内で各ゲーマーが相手ゲーマー又は自分のカード手がどの役に該当するかを直観的に認識できるように提供され、役に該当するカード手に対して明確に表示されることが好ましい。従って、上記イメージはできるだけ簡単ながらも容易に区別できる形態（形状）を有することが好ましい。
【００３４】
図３は、本発明の好ましい実施例に係るカードゲームサービスの提供方法を示したフローチャートであり、相手ゲーマーのオープンカード手に対して役を分析して表示する方法を示したフローチャートである。
【００３５】
図３を参照して説明すると、先ず、使用者端末機は、有線又は無線インターネットを介しゲームサーバーに接続する（Ｓ１０）。
【００３６】
次いで、利用者は、使用者端末機の表示画面に出力されたウェブページ上に表示された認証画面にＩＤ及びパスワードを入力し、ゲームサーバー５０は、入力されたＩＤ及びパスワードに基づいて当該ゲームサービスに加入した使用者であることを認証する（Ｓ２０）。そして、ゲームサーバー５０は、認証された使用者のために、当該認証された使用者のゲーム関連情報及び提供可能な様々なゲームサービスリストが含まれたウェブページを使用者端末に出力（提供）する。
【００３７】
次いで、利用者は、使用者端末機の表示画面に表示されたウェブページを介して所望のカードゲームを選択すると、ゲームサーバー５０は、選択されたカードゲームのチャネルリスト及び各チャネルに開設されたゲーム部屋のリストデータを使用者端末機へ伝送及び出力する。利用者が、使用者端末機の表示画面に表示された各リスト中の何れ一つのゲーム部屋を選択入力すると、仮想的なゲーム空間として生成された該当のゲーム部屋に入場することができる（Ｓ３０）。
【００３８】
次いで、入場したゲーム部屋内の少なくとも一人以上のゲーマーが共にゲームに参加すると、ゲーム進行モジュール５２によりカードゲームが開始されてカード手が順次分配される（Ｓ４０）。
【００３９】
ゲーム部屋のカードゲーム規則に基づいて少なくとも一枚以上のカード手が分配され、更に順次分配されたカードがオープンされると、役表示モジュール５３は、相手ゲーマーのオープンカード手がどの役に該当するかの役データを検索する（Ｓ５０）。
【００４０】
役データの検索結果、相手ゲーマーのオープンカード手が二つ以上の役に該当すると判別された場合（Ｓ６０）、役表示モジュール５３は、判別された２つ以上の役の中から優先順位の高い役に該当するカード手を選択して分類し（Ｓ８０）、選択分類されたカード手を使用者が識別できるように所定のイメージを生成して対応するカード手に表示する（Ｓ９０）。一方、オープンカード手が一つの役に該当する場合は（Ｓ６０）、役表示モジュール５３は、役に該当するカード手を選択して分類し（Ｓ７０）、選択分類されたカード手に対して所定のイメージを生成して表示する（Ｓ９０）。
【００４１】
ゲーム部屋の規則に応じて必要な場合は、ベット動作が行われた後、再び各ゲーマーに分配するカード手が存在する場合（Ｓ１００）、役表示モジュール５３は、順次カード手を分配して（Ｓ１１０）、段階Ｓ５０からの動作を繰り返し遂行する。このとき、ゲーム部屋の規則に応じて最後に分配されたカードをオープンしない場合は、以前のターン（turn）の際に表示されたイメージを維持することができる。
【００４２】
図４Ａ及び図４Ｂは、本発明の好ましい実施例に係るカードゲームサービスの提供画面を示した第１例示図で、図４Ａは、オープンカード手がペア又はストレートの役をなす場合のカードゲームサービスの提供画面を示している。また、図４Ｂは、オープンカード手がペア又はフラッシュの役をなす場合のカードゲームサービスの提供画面を示している。
【００４３】
図４Ａ及び図４Ｂに示すように、役に応じて該当するカード手に表示されるイメージは、役をなすカード手の性格（性質）に基づいてその模様や色を相違させて表示することができる。ポーカーゲームを例に挙げて説明すると、ポーカーゲームにおける役は、同一数字からなるカード役はペア性カード、連続した数字からなるカード手はストレート性カード、同一模様があればフラッシュ性カード、と分類される。したがって、ペア性カードは、赤い色系列、ストレート性カードは緑色系列、フラッシュ性カードは青い色系列、にそれぞれ区分して表示することができる。また、色だけでなくその模様もカード手によって相違させて表示することができる。すなわち、図４Ａに示したように左側下段のゲーマーは、オープンカードとして１０−ダイヤモンド、９−ダイヤモンド、８−スペード、６−クローバーを有するが、このような配列は７のカードを除いては連続した数に構成されているので、ゲームＤＢ７０に保存された役データに基づいて当該カード手をストレート性カードに分類することが可能で、それを示すためにダイヤモンド形状を有するイメージがゲーマーの各カード手の上方側に順次配置されて出力（表示）される。
【００４４】
一方、右側下段のゲーマーはオープンカードとして４−ダイヤモンドと４−クローバーを有し、このような配列は役においてワンペアを構成しているのでペア性カードとして分類し、砂時計の形状を有するイメージが各カード手の上方側に配置されて出力される。
【００４５】
また、図４Ｂに示すように、左側上段のゲーマーは、オープンカードとして４−ハート、８−ハート、１０−スペード、Ａ−ハートを有し、これは同一模様を構成するフラッシュ性カードに該当するので、逆三角形の形状を有するイメージが上記各カード手の上方側に表示出力される。また、左側下段のゲーマーは、５−ダイヤモンドと５−クローバーがワンペアを構成しているので、上記各カード手の上方側に砂時計のイメージを表示出力することができる。
【００４６】
図５は、本発明の好ましい実施例に係るカードゲームサービスの提供画面を示した第２例示図であり、相手ゲーマーのオープンカード手が一つ以上の役をなす場合のカードゲームサービスの提供画面を示した図である。
【００４７】
図５に示すように、左側下段のゲーマーは、５−スペード、７−スペード、１０−ハート及び６−スペードをオープンカード手として有し、これは５、６、７の数字が連続しているのでストレート性カードとして分類され、スペードカードが３枚あるのでフラッシュ性カードとして分類することもできる。一つの役に該当するカード手にイメージを出力することが好ましいので、オープンカード手が一つ以上の役をなす場合は、優先順位の高い役に該当するカード手に該当する系列（グループ）のイメージを表示することができる。したがって、３ストレートより３フラッシュが高い優先順位を有する場合、図５に示したように、フラッシュ性として分類されて逆三角形の形状を有するイメージが上記各カード手に表示出力される。
【００４８】
このような役データは、７枚のカードで行うセブンカードゲームの場合、ノーペア→ワンペア→ツーペア→トリプル→ストレート→バックストレート→マウンテン→フラッシュ→プールハウス→フォーカード→ストレートフラッシュ→バックストレートフラッシュ→ローヤルストレートフラッシュの順に優先順位が高くなるが、ポーカーゲームの種類や方式によって少しずつ相違し、３ストレート→３フラッシュ→ワンペア→４ストレート→４フラッシュ→ツーペア→トリプル→フォーカードなどの順に優先順位が高くなるように役データを構成することができる。
【００４９】
図６は、図４Ａ、図４Ｂ又は図５において、サービス提供画面に出力可能な役表示設定窓が示された例示図であって、役表示機能を実行しようとする際に使用者端末機の表示画面上に表示出力される。
【００５０】
図６に示すように、役表示設定窓１００は、図４又は図５のゲーム部屋画面で提供される各機能に対するユーザー・インターフェース（ＵＩ）と類似した形態で構成することができる。より詳しく説明すると、役表示設定窓１００は、役表示機能に対する詳細な細部設定の実行可否を選択できる表示設定フィールド１１０と、選択された各フィールドの設定入力を完了又は取消すことができる少なくとも一つ以上の機能ボタン１２０と、を備えることができる。表示設定フィールド１１０は、役表示機能を利用しようとする使用者のゲーム適応程度などに応じて「相手のカード役表示」、「自分のカード役表示」、「達成した役表示」、「予想役表示」などに分けられ、各設定ごとに表示の可否を選択できるように「ハイ」、「イイエ」をラジオボタンで表示することができる。
【００５１】
以上のように本発明に係るカードゲームサービスの提供方法及びそのシステムを好ましい実施例に則して説明したが、本発明は、本明細書で開示された実施例及び図面によって限定されず、カードゲーム中の相手ゲーマーのオープンカード手を分析して注目すべき役に該当するカード手を識別表示し、カードゲーム利用者の便宜を図るという本発明の技術的思想は、特許請求の範囲に基づいて定められるべきである。言い換えれば、本発明の属する技術分野において熟練した当業者にとっては、特許請求の範囲に記載された本発明の技術的思想およびその領域から逸脱しない範囲内で、本発明を多様に修正および変更させることができることを理解することができるであろう。本発明の技術的範囲は、特許請求の範囲に基づいて定められ、発明を実施するための最良の形態により制限されるものではない。
【００５２】
なお、本発明に係る実施例のカードゲームサービスの提供方法は、コンピュータにより実現される多様な動作を実行するためのプログラムで構成することができる。また、本発明は、カードゲームサービスの提供方法をコンピュータに実現させるプログラムを記憶したコンピュータ読取可能な記録媒体として具現化することができる。当該記録媒体は、プログラム命令、データファイル、データ構造などを単独または組み合わせて含むこともでき、記録媒体およびプログラム命令は、本発明の目的のために特別に設計されて構成されたものでもよく、コンピュータソフトウェア分野の技術を有する当業者にとって公知であり使用可能なものであってもよい。コンピュータ読取可能な記録媒体の例としては、ハードディスク、フロッピー（登録商標）ディスク及び磁気テープのような磁気媒体、ＣＤ−ＲＯＭ、ＤＶＤのような光記録媒体、フロプティカルディスクのような磁気−光媒体、及びＲＯＭ、ＲＡＭ、フラッシュメモリなどのようなプログラム命令を保存して実行するように特別に構成されたハードウェア装置が含まれる。また、記録媒体は、プログラム命令、データ構造などを保存する信号を送信する搬送波を含む光または金属線、導波管などの送信媒体でもある。プログラム命令の例としては、コンパイラによって生成されるもののような機械語コードだけでなく、インタプリタなどを用いてコンピュータによって実行される高級言語コードを含む。
【図面の簡単な説明】
【００５３】
【図１】本発明の好ましい実施例に係るカードゲームサービスの提供システムを簡略に示した概略図である。
【図２】本発明の好ましい実施例に係るカードゲームサービスの提供システムにおいて、ゲームサーバーの構成を示したブロック図である。
【図３】本発明の好ましい実施例に係るカードゲームサービスの提供方法を示したフローチャートである。
【図４Ａ】本発明の好ましい実施例に係るカードゲームサービスの提供画面を示した第１例示図である。
【図４Ｂ】本発明の好ましい実施例に係るカードゲームサービスの提供画面を示した第１例示図である。
【図５】本発明の好ましい実施例に係るカードゲームサービスの提供画面を示した第２例示図である。
【図６】図４又は図５において、サービス提供画面に出力可能な役表示設定窓を示した例示図である。
【符号の説明】
【００５４】
１０、１５：使用者端末機
５０：ゲームサーバー
５２：ゲーム進行モジュール
５３：役表示モジュール
６０：チャネルサーバー
７０：ゲームＤＢ
１００：役表示設定窓
【図１】
2008289888.tif 000003
【図２】
2008289888.tif 000004
【図３】
2008289888.tif 000005
【図４Ａ】
2008289888.tif 000006
【図４Ｂ】
2008289888.tif 000007
【図５】
2008289888.tif 000008
【図６】
2008289888.tif 000009